(57)【要約】本発明の実施例は復調参照信号のシグナリング指示方法、ユーザ装置及び基地局を提供する。該方法は、基地局が、上位層シグナリングにより、ユーザ装置のためにスクランブリング識別子の候補情報を構成するステップと、ユーザ装置が動的シグナリングに基づいて、受信された信号を復調するように、ユーザ装置に動的シグナリングを送信するステップと、を含む。本発明の実施例によれば、ＭＵ−ＭＩＭＯのより大きな次元の数をサポートでき、大規模なアンテナの利点を十分に取得できる。【選択図】図３
2016506210.tif 000002
【特許請求の範囲】
【請求項１】
マルチユーザマルチ入力マルチ出力（ＭＵ−ＭＩＭＯ）システムに用いられる復調参照信号のシグナリング指示方法であって、
基地局が、上位層シグナリングにより、ユーザ装置のためにスクランブリング識別子の候補情報を構成するステップと、
前記ユーザ装置が動的シグナリングに基づいて、受信された信号に対してチャネル推定及び復調を行うように、前記ユーザ装置に前記動的シグナリングを送信するステップと、を含む、方法。
【請求項２】
前記候補情報は２つのスクランブリング識別子であり、
前記方法は、
前記基地局が、集合｛０、１、２、３｝又は集合｛０、１、前記ユーザ装置の識別子｝から２つの値を前記２つのスクランブリング識別子として選択するステップをさらに含む、請求項１に記載の方法。
【請求項３】
前記動的シグナリングは、ポート情報及び層情報を有する第１の動的シグナリングを含み、
前記第１の動的シグナリングは、前記候補情報から選択された識別子情報を示す情報をさらに含む、請求項１に記載の方法。
【請求項４】
前記基地局が、前記ユーザ装置及び他のユーザ装置の位置に基づいて、前記ユーザ装置及び他のユーザ装置のために、少なくとも１つの同一のスクランブリング識別子を含む候補情報を構成するステップをさらに含む、請求項１に記載の方法。
【請求項５】
前記動的シグナリングは、ポート情報及び層情報を有する第１の動的シグナリングを含み、
前記方法は、前記基地局が前記ユーザ装置に第２の動的シグナリングを送信するステップをさらに含み、
前記第２の動的シグナリングは、前記候補情報から選択された識別子情報を示す情報を含む、請求項１に記載の方法。
【請求項６】
前記第２の動的シグナリングに１ビットを追加して前記識別子情報を示す、請求項５に記載の方法。
【請求項７】
前記基地局が、ユーザ装置に、復調参照信号の負荷を示す第３の動的シグナリングを送信するステップをさらに含み、
前記第３の動的シグナリングに１ビットを追加して、前記復調参照信号の負荷が１２ＲＥ又は２４ＲＥであることを示す、請求項３又は５に記載の方法。
【請求項８】
前記第１の動的シグナリングは、
前記ユーザ装置のポートが７、８であり、２つのコードワードが用いられ、層の数が２つであり、他のユーザ装置のポートが９であり、１つのコードワードが用いられ、層の数が１であること、又は
前記ユーザ装置のポートが７、８、９であり、２つのコードワードが用いられ、層の数が３つであり、他のユーザ装置のポートが１０であり、１つのコードワードが用いられ、層の数が１であること、又は
前記ユーザ装置のポートが７、８であり、２つのコードワードが用いられ、層の数が２つであり、他のユーザ装置のポートが９、１０であり、２つのコードワードが用いられ、層の数が２であること、を示す、請求項３又は５に記載の方法。
【請求項９】
前記第１の動的シグナリングは、
前記ユーザ装置のポートが７であり、１つのコードワードが用いられ、層の数が１つであり、他のユーザ装置のポートが８、９であり、１つのコードワードが用いられ、層の数が２であること、又は
前記ユーザ装置のポートが７であり、１つのコードワードが用いられ、層の数が１つであり、他のユーザ装置のポートが８、９、１０であり、１つのコードワードが用いられ、層の数が３であること、又は
前記ユーザ装置のポートが７、８であり、１つのコードワードが用いられ、層の数が２つであり、他のユーザ装置のポートが９、１０であり、１つのコードワードが用いられ、層の数が２であること、を示す、請求項３又は５に記載の方法。
【請求項１０】
前記動的シグナリングは、合計ランク（sum  rank）情報を示す第４の動的シグナリングをさらに含む、請求項３又は５に記載の方法。
【請求項１１】
前記合計ランク情報は、復調参照信号の負荷を示す、請求項１０に記載の方法。
【請求項１２】
マルチユーザマルチ入力マルチ出力（ＭＵ−ＭＩＭＯ）システムに用いられる復調参照信号のシグナリング指示方法であって、
基地局が、ユーザ装置が動的シグナリングに基づいて、受信された信号を復調するように、前記ユーザ装置に、ポート情報、層情報及びスクランブリング識別子情報を含む前記動的シグナリングを送信するステップを含み、
前記スクランブリング識別子情報の値は、０又は前記ユーザ装置の識別子である、方法。
【請求項１３】
マルチユーザマルチ入力マルチ出力（ＭＵ−ＭＩＭＯ）システムに用いられる復調参照信号のシグナリング指示方法であって、
基地局が、ユーザ装置に復調参照信号用の動的シグナリングを送信し、前記ユーザ装置が他のユーザ装置と最大の合計ランクが４である直交のＭＵ−ＭＩＭＯを行うように指示し、或いはランクが２よりも大きい前記ユーザ装置が他のユーザ装置と非直交のＭＵ−ＭＩＭＯを行うように指示するステップ、を含む、方法。
【請求項１４】
前記動的シグナリングは、第１の動的シグナリングを含み、
前記第１の動的シグナリングは、
前記ユーザ装置のポートが７、８であり、２つのコードワードが用いられ、層の数が２つであり、前記他のユーザ装置のポートが９であり、１つのコードワードが用いられ、層の数が１であること、又は
前記ユーザ装置のポートが７、８、９であり、２つのコードワードが用いられ、層の数が３つであり、前記他のユーザ装置のポートが１０であり、１つのコードワードが用いられ、層の数が１であること、又は
前記ユーザ装置のポートが７、８であり、２つのコードワードが用いられ、層の数が２つであり、前記他のユーザ装置のポートが９、１０であり、２つのコードワードが用いられ、層の数が２であること、を示す、請求項１３に記載の方法。
【請求項１５】
前記動的シグナリングは、第１の動的シグナリングを含み、
前記第１の動的シグナリングは、
前記ユーザ装置のポートが７であり、１つのコードワードが用いられ、層の数が１つであり、前記他のユーザ装置のポートが８、９であり、１つのコードワードが用いられ、層の数が２であること、又は
前記ユーザ装置のポートが７であり、１つのコードワードが用いられ、層の数が１つであり、前記他のユーザ装置のポートが８、９、１０であり、１つのコードワードが用いられ、層の数が３であること、又は
前記ユーザ装置のポートが７、８であり、１つのコードワードが用いられ、層の数が２つであり、前記他のユーザ装置のポートが９、１０であり、１つのコードワードが用いられ、層の数が２であること、を示す、請求項１３に記載の方法。
【請求項１６】
前記動的シグナリングは、スクランブリング識別子を示す第２の動的シグナリングをさらに含む、請求項１４又は１５に記載の方法。
【請求項１７】
前記動的シグナリングは、合計ランク（sum  rank）情報を示す第４の動的シグナリングをさらに含む、請求項１４又は１５に記載の方法。
【請求項１８】
前記合計ランク情報は、復調参照信号の負荷を示す、請求項１７に記載の方法。
【請求項１９】
マルチユーザマルチ入力マルチ出力（ＭＵ−ＭＩＭＯ）システムに用いられる復調参照信号のシグナリング指示方法であって、
ユーザ装置が、基地局により構成されたスクランブリング識別子の候補情報を受信するステップと、
前記ユーザ装置が、前記基地局により送信された動的シグナリングを受信し、前記動的シグナリングに基づいて、受信された信号に対してチャネル推定及び復調を行うステップと、を含む、方法。
【請求項２０】
前記動的シグナリングは、ポート情報及び層情報を有する第１の動的シグナリングを含み、
前記第１の動的シグナリングは、前記候補情報から選択された識別子情報を示す情報をさらに含む、請求項１９に記載の方法。
【請求項２１】
前記動的シグナリングは、ポート情報及び層情報を有する第１の動的シグナリングを含み、
前記方法は、前記ユーザ装置が前記基地局により送信された第２の動的シグナリングを受信するステップをさらに含み、
前記第２の動的シグナリングは、前記候補情報から選択された識別子情報を示す情報を含む、請求項１９に記載の方法。
【請求項２２】
前記第２の動的シグナリングに１ビットを追加して前記識別子情報を示す、請求項２１に記載の方法。
【請求項２３】
前記ユーザ装置が、前記基地局により送信された、復調参照信号の負荷を示す第３の動的シグナリングを受信するステップをさらに含み、
前記第３の動的シグナリングに１ビットを追加して、前記復調参照信号の負荷が１２ＲＥ又は２４ＲＥであることを示す、請求項２０又は２１に記載の方法。
【請求項２４】
前記第１の動的シグナリングは、
前記ユーザ装置のポートが７、８であり、２つのコードワードが用いられ、層の数が２つであり、他のユーザ装置のポートが９であり、１つのコードワードが用いられ、層の数が１であること、又は
前記ユーザ装置のポートが７、８、９であり、２つのコードワードが用いられ、層の数が３つであり、他のユーザ装置のポートが１０であり、１つのコードワードが用いられ、層の数が１であること、又は
前記ユーザ装置のポートが７、８であり、２つのコードワードが用いられ、層の数が２つであり、他のユーザ装置のポートが９、１０であり、２つのコードワードが用いられ、層の数が２であること、を示す、請求項２０又は２１に記載の方法。
【請求項２５】
前記第１の動的シグナリングは、
前記ユーザ装置のポートが７であり、１つのコードワードが用いられ、層の数が１つであり、他のユーザ装置のポートが８、９であり、１つのコードワードが用いられ、層の数が２であること、又は
前記ユーザ装置のポートが７であり、１つのコードワードが用いられ、層の数が１つであり、他のユーザ装置のポートが８、９、１０であり、１つのコードワードが用いられ、層の数が３であること、又は
前記ユーザ装置のポートが７、８であり、１つのコードワードが用いられ、層の数が２つであり、他のユーザ装置のポートが９、１０であり、１つのコードワードが用いられ、層の数が２であること、を示す、請求項２０又は２１に記載の方法。
【請求項２６】
前記動的シグナリングは、合計ランク（sum  rank）情報を示す第４の動的シグナリングをさらに含む、請求項２０又は２１に記載の方法。
【請求項２７】
前記合計ランク情報は、復調参照信号の負荷を示す、請求項２６に記載の方法。
【請求項２８】
マルチユーザマルチ入力マルチ出力（ＭＵ−ＭＩＭＯ）システムに用いられる復調参照信号のシグナリング指示方法であって、
ユーザ装置が、基地局により送信された、ポート情報、層情報及びスクランブリング識別子情報を含む動的シグナリングを受信し、前記動的シグナリングに基づいて、受信された信号に対してチャネル推定及び復調を行うステップを含み、
前記スクランブリング識別子情報の値は、０又は前記ユーザ装置の識別子である、方法。
【請求項２９】
マルチユーザマルチ入力マルチ出力（ＭＵ−ＭＩＭＯ）システムに用いられる復調参照信号のシグナリング指示方法であって、
ユーザ装置が、基地局により送信された、復調参照信号用の動的シグナリングを受信するステップと、
前記ユーザ装置が、他のユーザ装置と最大の合計ランクが４である直交のＭＵ−ＭＩＭＯを行い、或いは前記ユーザ装置が他のユーザ装置と非直交のＭＵ−ＭＩＭＯを行うステップ、を含む、方法。
【請求項３０】
前記動的シグナリングは、第１の動的シグナリングを含み、
前記第１の動的シグナリングは、
前記ユーザ装置のポートが７、８であり、２つのコードワードが用いられ、層の数が２つであり、前記他のユーザ装置のポートが９であり、１つのコードワードが用いられ、層の数が１であること、又は
前記ユーザ装置のポートが７、８、９であり、２つのコードワードが用いられ、層の数が３つであり、前記他のユーザ装置のポートが１０であり、１つのコードワードが用いられ、層の数が１であること、又は
前記ユーザ装置のポートが７、８であり、２つのコードワードが用いられ、層の数が２つであり、前記他のユーザ装置のポートが９、１０であり、２つのコードワードが用いられ、層の数が２であること、を示す、請求項２９に記載の方法。
【請求項３１】
前記動的シグナリングは、第１の動的シグナリングを含み、
前記第１の動的シグナリングは、
前記ユーザ装置のポートが７であり、１つのコードワードが用いられ、層の数が１つであり、前記他のユーザ装置のポートが８、９であり、１つのコードワードが用いられ、層の数が２であること、又は
前記ユーザ装置のポートが７であり、１つのコードワードが用いられ、層の数が１つであり、前記他のユーザ装置のポートが８、９、１０であり、１つのコードワードが用いられ、層の数が３であること、又は
前記ユーザ装置のポートが７、８であり、１つのコードワードが用いられ、層の数が２つであり、前記他のユーザ装置のポートが９、１０であり、１つのコードワードが用いられ、層の数が２であること、を示す、請求項２９に記載の方法。
【請求項３２】
マルチユーザマルチ入力マルチ出力（ＭＵ−ＭＩＭＯ）システムに用いられる基地局であって、
上位層シグナリングにより、ユーザ装置のためにスクランブリング識別子の候補情報を構成する構成手段と、
前記ユーザ装置が動的シグナリングに基づいて、受信された信号に対してチャネル推定及び復調を行うように、前記ユーザ装置に前記動的シグナリングを送信するシグナリング送信手段と、を含む、基地局。
【請求項３３】
前記候補情報は２つのスクランブリング識別子であり、
前記基地局は、
集合｛０、１、２、３｝又は集合｛０、１、前記ユーザ装置の識別子｝から２つの値を前記２つのスクランブリング識別子として選択する選択手段をさらに含む、請求項３２に記載の基地局。
【請求項３４】
前記動的シグナリングは、ポート情報及び層情報を有する第１の動的シグナリングを含み、
前記第１の動的シグナリングは、前記候補情報から選択された識別子情報を示す情報をさらに含む、請求項３２又は３３に記載の基地局。
【請求項３５】
前記動的シグナリングは、ポート情報及び層情報を有する第１の動的シグナリングを含み、
前記シグナリング送信手段は、前記ユーザ装置に第２の動的シグナリングを送信するステップをさらに含み、
前記第２の動的シグナリングは、前記候補情報から選択された識別子情報を示す情報を含む、請求項３２又は３３に記載の基地局。
【請求項３６】
前記シグナリング送信手段は、ユーザ装置に、復調参照信号の負荷を示す第３の動的シグナリングを送信する、請求項３２又は３３に記載の基地局。
【請求項３７】
マルチユーザマルチ入力マルチ出力（ＭＵ−ＭＩＭＯ）システムに用いられる基地局であって、
ユーザ装置に復調参照信号用の動的シグナリングを送信し、前記ユーザ装置が他のユーザ装置と最大の合計ランクが４である直交のＭＵ−ＭＩＭＯを行うように指示し、或いはランクが２よりも大きい前記ユーザ装置が他のユーザ装置と非直交のＭＵ−ＭＩＭＯを行うように指示するシグナリング送信手段、を含む、基地局。
【請求項３８】
前記動的シグナリングは、第１の動的シグナリングを含み、
前記第１の動的シグナリングは、
前記ユーザ装置のポートが７、８であり、２つのコードワードが用いられ、層の数が２つであり、前記他のユーザ装置のポートが９であり、１つのコードワードが用いられ、層の数が１であること、又は
前記ユーザ装置のポートが７、８、９であり、２つのコードワードが用いられ、層の数が３つであり、前記他のユーザ装置のポートが１０であり、１つのコードワードが用いられ、層の数が１であること、又は
前記ユーザ装置のポートが７、８であり、２つのコードワードが用いられ、層の数が２つであり、前記他のユーザ装置のポートが９、１０であり、２つのコードワードが用いられ、層の数が２であること、を示す、請求項３７に記載の基地局。
【請求項３９】
前記動的シグナリングは、第１の動的シグナリングを含み、
前記第１の動的シグナリングは、
前記ユーザ装置のポートが７であり、１つのコードワードが用いられ、層の数が１つであり、前記他のユーザ装置のポートが８、９であり、１つのコードワードが用いられ、層の数が２であること、又は
前記ユーザ装置のポートが７であり、１つのコードワードが用いられ、層の数が１つであり、前記他のユーザ装置のポートが８、９、１０であり、１つのコードワードが用いられ、層の数が３であること、又は
前記ユーザ装置のポートが７、８であり、１つのコードワードが用いられ、層の数が２つであり、前記他のユーザ装置のポートが９、１０であり、１つのコードワードが用いられ、層の数が２であること、を示す、請求項３７に記載の基地局。
【請求項４０】
前記動的シグナリングは、スクランブリング識別子を示す第２の動的シグナリングをさらに含む、請求項３８又は３９に記載の基地局。
【請求項４１】
前記動的シグナリングは、合計ランク（sum  rank）情報を示す第４の動的シグナリングをさらに含む、請求項３８又は３９に記載の基地局。
【請求項４２】
マルチユーザマルチ入力マルチ出力（ＭＵ−ＭＩＭＯ）システムに用いられるユーザ装置であって、
基地局により構成されたスクランブリング識別子の候補情報を受信する情報受信手段と、
前記基地局により送信された動的シグナリングを受信し、前記動的シグナリングに基づいて、受信された信号に対してチャネル推定及び復調を行うシグナリング受信手段と、を含む、ユーザ装置。
【請求項４３】
前記動的シグナリングは、ポート情報及び層情報を有する第１の動的シグナリングを含み、
前記第１の動的シグナリングは、前記候補情報から選択された識別子情報を示す情報をさらに含む、請求項４２に記載のユーザ装置。
【請求項４４】
前記動的シグナリングは、ポート情報及び層情報を有する第１の動的シグナリングを含み、
前記シグナリング受信手段は、前記基地局により送信された第２の動的シグナリングを受信し、
前記第２の動的シグナリングは、前記候補情報から選択された識別子情報を示す情報を含む、請求項４２に記載のユーザ装置。
【請求項４５】
前記シグナリング受信手段は、前記基地局により送信された、復調参照信号の負荷を示す第３の動的シグナリングを受信する、請求項４３又は４４に記載のユーザ装置。
【請求項４６】
マルチユーザマルチ入力マルチ出力（ＭＵ−ＭＩＭＯ）システムに用いられるユーザ装置であって、
基地局により送信された、復調参照信号用の動的シグナリングを受信するシグナリング受信手段と、
他のユーザ装置と最大の合計ランクが４である直交のＭＵ−ＭＩＭＯを行い、或いは他のユーザ装置と非直交のＭＵ−ＭＩＭＯを行う処理手段、を含む、ユーザ装置。
【請求項４７】
前記動的シグナリングは、第１の動的シグナリングを含み、
前記第１の動的シグナリングは、
前記ユーザ装置のポートが７、８であり、２つのコードワードが用いられ、層の数が２つであり、前記他のユーザ装置のポートが９であり、１つのコードワードが用いられ、層の数が１であること、又は
前記ユーザ装置のポートが７、８、９であり、２つのコードワードが用いられ、層の数が３つであり、前記他のユーザ装置のポートが１０であり、１つのコードワードが用いられ、層の数が１であること、又は
前記ユーザ装置のポートが７、８であり、２つのコードワードが用いられ、層の数が２つであり、前記他のユーザ装置のポートが９、１０であり、２つのコードワードが用いられ、層の数が２であること、を示す、請求項４６に記載のユーザ装置。
【請求項４８】
前記動的シグナリングは、第１の動的シグナリングを含み、
前記第１の動的シグナリングは、
前記ユーザ装置のポートが７であり、１つのコードワードが用いられ、層の数が１つであり、前記他のユーザ装置のポートが８、９であり、１つのコードワードが用いられ、層の数が２であること、又は
前記ユーザ装置のポートが７であり、１つのコードワードが用いられ、層の数が１つであり、前記他のユーザ装置のポートが８、９、１０であり、１つのコードワードが用いられ、層の数が３であること、又は
前記ユーザ装置のポートが７、８であり、１つのコードワードが用いられ、層の数が２つであり、前記他のユーザ装置のポートが９、１０であり、１つのコードワードが用いられ、層の数が２であること、を示す、請求項４６に記載のユーザ装置。
【請求項４９】
請求項３２乃至３６のいずれかに記載の基地局、及び請求項４２乃至４５のいずれかに記載のユーザ装置を含み、或いは
請求項３７乃至４１のいずれかに記載の基地局、及び請求項４６乃至４８のいずれかに記載のユーザ装置を含む、通信システム。
【請求項５０】
基地局においてプログラムを実行する際に、コンピュータに、請求項１乃至１８のいずれかに記載の復調参照信号のシグナリング指示方法を前記基地局において実行させる、コンピュータ読み取り可能なプログラム。
【請求項５１】
コンピュータに、請求項１乃至１８のいずれかに記載の復調参照信号のシグナリング指示方法を基地局において実行させるためのコンピュータ読み取り可能なプログラムを記憶する、記憶媒体。
【請求項５２】
ユーザ装置においてプログラムを実行する際に、コンピュータに、請求項１９乃至３１のいずれかに記載の復調参照信号のシグナリング指示方法を前記ユーザ装置において実行させる、コンピュータ読み取り可能なプログラム。
【請求項５３】
コンピュータに、請求項１９乃至３１のいずれかに記載の復調参照信号のシグナリング指示方法をユーザ装置において実行させるためのコンピュータ読み取り可能なプログラムを記憶する、記憶媒体。
【発明の詳細な説明】
【技術分野】
【０００１】
本発明は、通信分野に関し、特に復調参照信号のシグナリング指示方法、ユーザ装置及び基地局に関する。
【背景技術】
【０００２】
マルチユーザマルチ入力マルチ出力（MU-MIMO、Multiple  User  Multiple  Input  Multiple  Output）技術は、空間領域の直交性を利用してユーザ間の干渉を低減し、システムの容量を向上する。異種ネットワークに用いられる場合、システムの容量をさらに向上できる。
【０００３】
一方、大規模なアンテナは、システムのカバレッジを向上し、ユーザ間の干渉を除去し、操作及び保守の費用を低減するために用いられ、ＬＴＥ−Ａシステムにおける注目されている候補技術の１つである。そのうち、ユーザの３次元ビームフォーミング技術は、産業化しやすい技術である。
【０００４】
図１は、ユーザ装置の３次元ビームフォーミング技術を示す図である。図１に示すように、基地局側のビームアライメントにより、ユーザはより高いビームフォーミング利得を取得でき、ユーザ間の干渉を低減できる。また、システムは、より多くのデータストリームのマルチユーザマルチアンテナ技術をサポートでき、空間的にユーザを多重化でき、システムの容量をさらに向上できる。
【０００５】
しかし、本発明の発明者の発見によれば、従来技術では、例えばＲ１０におけるダウンリンク復調参照信号（DM-RS、Demodulation  Reference  Signal）のシグナリング設計によりＭＵ−ＭＩＭＯの次元の数が制限され、大規模なアンテナの利点を十分に取得できない。
【０００６】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００７】
本発明の実施例は、ＭＵ−ＭＩＭＯのより大きな次元の数をサポートでき、大規模なアンテナの利点を十分に取得できる復調参照信号のシグナリング指示方法、ユーザ装置及び基地局を提供することを目的とする。
【課題を解決するための手段】
【０００８】
本発明の実施例の一の態様では、マルチユーザマルチ入力マルチ出力（ＭＵ−ＭＩＭＯ）システムに用いられる復調参照信号のシグナリング指示方法であって、基地局が、上位層シグナリングにより、ユーザ装置のためにスクランブリング識別子の候補情報を構成するステップと、前記ユーザ装置が動的シグナリングに基づいて、受信された信号に対してチャネル推定及び復調を行うように、前記ユーザ装置に前記動的シグナリングを送信するステップと、を含む、方法を提供する。
【０００９】
本発明の実施例の他の態様では、マルチユーザマルチ入力マルチ出力（ＭＵ−ＭＩＭＯ）システムに用いられる復調参照信号のシグナリング指示方法であって、基地局が、ユーザ装置に復調参照信号用の動的シグナリングを送信し、前記ユーザ装置が他のユーザ装置と最大の合計ランクが４である直交のＭＵ−ＭＩＭＯを行うように指示し、或いはランクが２よりも大きい前記ユーザ装置が他のユーザ装置と非直交のＭＵ−ＭＩＭＯを行うように指示するステップ、を含む、方法を提供する。
【００１０】
本発明の実施例の他の態様では、マルチユーザマルチ入力マルチ出力（ＭＵ−ＭＩＭＯ）システムに用いられる復調参照信号のシグナリング指示方法であって、ユーザ装置が、基地局により構成されたスクランブリング識別子の候補情報を受信するステップと、前記ユーザ装置が、前記基地局により送信された動的シグナリングを受信し、前記動的シグナリングに基づいて、受信された信号に対してチャネル推定及び復調を行うステップと、を含む、方法を提供する。
【００１１】
本発明の実施例の他の態様では、マルチユーザマルチ入力マルチ出力（ＭＵ−ＭＩＭＯ）システムに用いられる復調参照信号のシグナリング指示方法であって、ユーザ装置が、基地局により送信された、復調参照信号用の動的シグナリングを受信するステップと、前記ユーザ装置が、他のユーザ装置と最大の合計ランクが４である直交のＭＵ−ＭＩＭＯを行い、或いは前記ユーザ装置が他のユーザ装置と非直交のＭＵ−ＭＩＭＯを行うステップ、を含む、方法を提供する。
【００１２】
本発明の実施例の他の態様では、マルチユーザマルチ入力マルチ出力（ＭＵ−ＭＩＭＯ）システムに用いられる基地局であって、上位層シグナリングにより、ユーザ装置のためにスクランブリング識別子の候補情報を構成する構成手段と、前記ユーザ装置が動的シグナリングに基づいて、受信された信号に対してチャネル推定及び復調を行うように、前記ユーザ装置に前記動的シグナリングを送信するシグナリング送信手段と、を含む、基地局を提供する。
【００１３】
本発明の実施例の他の態様では、マルチユーザマルチ入力マルチ出力（ＭＵ−ＭＩＭＯ）システムに用いられる基地局であって、ユーザ装置に復調参照信号用の動的シグナリングを送信し、前記ユーザ装置が他のユーザ装置と最大の合計ランクが４である直交のＭＵ−ＭＩＭＯを行うように指示し、或いはランクが２よりも大きい前記ユーザ装置が他のユーザ装置と非直交のＭＵ−ＭＩＭＯを行うように指示するシグナリング送信手段、を含む、基地局を提供する。
【００１４】
本発明の実施例の他の態様では、マルチユーザマルチ入力マルチ出力（ＭＵ−ＭＩＭＯ）システムに用いられるユーザ装置であって、基地局により構成されたスクランブリング識別子の候補情報を受信する情報受信手段と、前記基地局により送信された動的シグナリングを受信し、前記動的シグナリングに基づいて、受信された信号に対してチャネル推定及び復調を行うシグナリング受信手段と、を含む、ユーザ装置を提供する。
【００１５】
本発明の実施例の他の態様では、マルチユーザマルチ入力マルチ出力（ＭＵ−ＭＩＭＯ）システムに用いられるユーザ装置であって、基地局により送信された、復調参照信号用の動的シグナリングを受信するシグナリング受信手段と、他のユーザ装置と最大の合計ランクが４である直交のＭＵ−ＭＩＭＯを行い、或いは他のユーザ装置と非直交のＭＵ−ＭＩＭＯを行う処理手段、を含む、ユーザ装置を提供する。
【００１６】
本発明の実施例の他の態様では、上記の基地局、及び上記のユーザ装置を含む、通信システムを提供する。
【００１７】
本発明の実施例の他の態様では、基地局においてプログラムを実行する際に、コンピュータに、上記の復調参照信号のシグナリング指示方法を前記基地局において実行させる、コンピュータ読み取り可能なプログラムを提供する。
【００１８】
本発明の実施例の他の態様では、コンピュータに、上記の復調参照信号のシグナリング指示方法を基地局において実行させるためのコンピュータ読み取り可能なプログラムを記憶する、記憶媒体を提供する。
【００１９】
本発明の実施例の他の態様では、ユーザ装置においてプログラムを実行する際に、コンピュータに、上記の復調参照信号のシグナリング指示方法を前記ユーザ装置において実行させる、コンピュータ読み取り可能なプログラムを提供する。
【００２０】
本発明の実施例の他の態様では、コンピュータに、上記の復調参照信号のシグナリング指示方法をユーザ装置において実行させるためのコンピュータ読み取り可能なプログラムを記憶する、記憶媒体を提供する。
【００２１】
本発明の実施例の有益な効果としては、基地局がユーザ装置のためにスクランブリング識別子の候補情報を構成し、該ユーザ装置に動的シグナリングを送信し、ユーザ装置が動的シグナリングに基づいて受信信号を復調することで、ＭＵ−ＭＩＭＯのより大きな次元の数をサポートでき、大規模なアンテナの利点を十分に取得できる。
【００２２】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２３】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２４】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２５】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００２６】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】ユーザ装置の３次元ビームフォーミング技術を示す図である。
【図２】ＳＵ−ＭＩＭＯシステムにおけるコードワードから層へのマッピング関係を示す図である。
【図３】本発明の実施例１に係るシグナリング指示方法のフローチャートである。
【図４】本発明の実施例１に係る上位層がスクランブリング識別子を構成することを示す図である。
【図５】本発明の実施例２に係るシグナリング指示方法のフローチャートである。
【図６】従来のコードワードから層へのマッピングを示す図である。
【図７】本発明の実施例２に係るコードワードから層へのマッピングを示す図である。
【図８】本発明の実施例２に係るコードワードから層への他のマッピングを示す図である。
【図９】本発明の実施例３に係るシグナリング指示方法のフローチャートである。
【図１０】本発明の実施例４に係るシグナリング指示方法のフローチャートである。
【図１１】本発明の実施例５に係る基地局の構成を示す図である。
【図１２】本発明の実施例６に係る基地局の構成を示す図である。
【図１３】本発明の実施例７に係るユーザ装置の構成を示す図である。
【図１４】本発明の実施例８に係るユーザ装置の構成を示す図である。
【図１５】本発明の実施例９に係る通信システムの構成を示す図である。
【発明を実施するための形態】
【００２７】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２８】
復調参照信号（DM-RS、Demodulation  Reference  Signal）はＬＴＥ−Ａシステムにおける重要な参照信号である。ユーザ装置は、ＤＭ−ＲＳを用いてＭＩＭＯ伝送層における等価チャネルを推定し、この等価チャネルに基づいてデータ情報を復調することができる。
【００２９】
一方、ＭＵ−ＭＩＭＯ技術は、高い負荷、高い信号雑音比、及び高い関連性チャネルのシナリオに適用する。該技術は、システムの容量を著しく改善し、ＬＴＥ  Ｒｅｌ．１０システムの重要な特徴である。ＭＵ−ＭＩＭＯの技術的特徴は、下記のものを含む。
【００３０】
（１）シングルユーザ（SU、Single  User）／マルチユーザ（MU、Multiple  User）の動的ハンドオーバをサポートする。
【００３１】
（２）ユーザにとってトランスペアレント（transparent）なＭＵ−ＭＩＭＯであり、即ちユーザは、自分とＭＵ−ＭＩＭＯペア伝送を行う他のユーザがあるか否かを知らない。
【００３２】
（３）ＭＵ−ＭＩＭＯがサポートする次元の数としては、合計ランク（sum  rank、合計層数又は合計ストリーム数とも称される）が４以下であり、各ユーザのランクが２以下である。
【００３３】
（４）復調参照信号（DM-RS）について、直交及び準直交の多重化方法がサポートされ、準直交ＭＵ−ＭＩＭＯ方式は、空間チャネルを分離しやすいユーザの情報を同時に伝送するために用いられる。
【００３４】
具体的には、マルチユーザ多重化のＤＭ−ＲＳは直交のポート又は直交のシーケンスにより区別されてもよい。そのうち、直交のポートは、ポート７とポート８との間の多重化を含む。具体的なシグナリング設計は、表１に示されている。
【表１】
2016506210.tif 000003
【００３５】
本実施例では、アンテナ数の増加に伴い、システムは、ユーザの空間区別能力を向上し、複数のユーザはＭＵ−ＭＩＭＯ動作を行うことができる。ＭＵ−ＭＩＭＯの合計ランクは８拡張し、シングルユーザによりサポートされているランクは２であってもよいし、４に拡張してもよい。特に直交ＭＵ−ＭＩＭＯを採用する場合、ユーザ間の干渉が小さく、システム性能が良い。従来の直交ＭＵ−ＭＩＭＯは、シングルユーザのシングルストリームのみをサポートし、シングルユーザのマルチストリームに拡張できる。さらに、システムが非トランスペアレントなＭＵ−ＭＩＭＯをサポートする場合、受信側は、干渉除去アルゴリズムを用いてシステム性能を向上できる。しかし、関連するペアのユーザ情報をシグナリングを介してユーザに知らせる必要がある。
【００３６】
図２は、ＬＴＥ−Ａのシングルユーザマルチ入力マルチ出力（SU-MIMO、Single  User  Multiple  Input  Multiple  Output）システムにおけるコードワードから層へのマッピング関係を示す図である。図２に示すように、システムは、最大で２つのコードワード（CW、Code  Word）、８つの層（Layer）を有し、各コードワードは最大で２つの層を含む。各コードワードについて、ユーザは１つのチャネル品質指標（CQI、Channel  Quality  Indicator）情報、応答情報（ACK／NACK）をフィードバックする必要がある。このマッピング方法は、フィードバックオーバーヘッドとフィードバック正確性とを両立させ、システム性能をある程度最適化する。表２は、標準に記載されているものに対応する。
【表２】
2016506210.tif 000004
【００３７】
ＬＴＥ  Ｒ１０システムにおいてＭＵ−ＭＩＭＯ伝送を行う場合、ＭＵ−ＭＩＭＯはユーザにとってトランスペアレントなものであるため、マッピング方式はシングルユーザのコードワードから層へのマッピング方式をそのまま用いる。本実施例では、大規模なアンテナシステムでは、非トランスペアレントなＭＵ−ＭＩＭＯをサポートしている場合、このマッピング方式を最適化する可能性がある。以下は、具体的な実施形態を参照しながら、大規模なアンテナシステムにおいて柔軟なＭＵ−ＭＩＭＯをサポートする動的シグナリング指示を詳細に説明する。
【００３８】
＜実施例１＞
本発明の実施例は、マルチユーザマルチ入力マルチ出力（ＭＵ−ＭＩＭＯ）システムの基地局側に適用する、復調参照信号のシグナリング指示方法を提供し、該方法はトランスペアレントな（transparent）ＭＵ−ＭＩＭＯをサポートできる。
【００３９】
図３は、本発明の実施例に係るシグナリング指示方法のフローチャートである。図３に示すように、該方法は下記のステップを含む。
【００４０】
ステップ３０１：基地局は、上位層シグナリングにより、ユーザ装置のためにスクランブリング識別子の候補情報を構成する。
【００４１】
ステップ３０２：基地局は、ユーザ装置が動的シグナリングに基づいて、受信された信号に対してチャネル推定及び復調を行うように、ユーザ装置に動的シグナリングを送信する。
【００４２】
本実施例では、システムによりサポートされる合計ランク（合計層数又は合計ストリーム数とも称される）は８以下に拡張されてもよく、各ユーザ装置によりサポートされるランク（ストリーム数又は層数とも称される）は２以下であってもよいし、４以下に拡張されてもよい。ユーザ装置はシグナリング指示に基づいて受信された信号を復調してもよいが、具体的な復調方法は従来技術を参照してもよい。なお、本発明はこれに限定されず、例えば非トランスペアレントな（non-transparent）ＭＵ−ＭＩＭＯを行う場合、合計ランクは８よりも大きいものであってもよい。
【００４３】
本実施例では、シグナリング指示によりサポートされる各ユーザ装置のランクは、２以下であってもよい。以下は、この場合のシグナリング指示を詳細に説明する。ここで、上位層シグナリングはＲＲＣシグナリングであってもよく、スクランブリング識別子の候補情報は２つのスクランブリング識別子であってもよいが、本発明はこれに限定されない。以下は、候補情報が２つのスクランブリング識別子であることを例として説明する。
【００４４】
本実施例では、ユーザ装置は動的シグナリングに基づいて、受信された信号を処理してもよく、参照信号又はデータ信号を処理してもよい。例えば、チャネル推定及び復調などの処理を行ってもよいが、本発明はこれに限定されない。具体的な処理は従来技術を参照してもよい。
【００４５】
１つの態様では、シグナリング指示は２つのスクランブリング識別子を含んでもよく、スクランブリング識別子は上位層シグナリングにより構成されてもよく、準静的なシグナリング（semi-static  signaling）方式により設定されてもよい。ここで、２つのスクランブリング識別子は、集合｛０、１、２、３｝又は集合｛０、１、ＵＥ−ＩＤ｝から選択された値であってもよい。
【００４６】
具体的には、対応するシグナリングは、２つの部分に分けてもよく、第１の部分は、上位層により構成された２つのスクランブリング識別子であってもよく、ＳＣＩＤ０、ＳＣＩＤ１（ＲＲＣシグナリングを用いてもよい）と表されてもよい。第２の部分は、スクランブリングシーケンス、アンテナポート及び層数の動的指示（ＰＤＣＣＨによりキャリーされる動的シグナリングを用いてもよい）である。ここで、該スクランブリングシーケンスは、２つのスクランブリングシーケンス識別子から選択された、スクランブリング初期値を計算するための識別子であってもよい。
【００４７】
本実施例では、ＤＭ−ＲＳアンテナポートについて、参照信号シーケンスはＲ１０における定義と同じであってもよい。ここで、擬似ランダムシーケンス発生器の初期値（即ちスクランブリング初期値）は下記の式により決定されてもよい。
【数１】
2016506210.tif 000005
【００４８】
ここで、ｎＳＣＩＤは０、１、２、３又はＵＥ−ＩＤ（上記のＳＣＩＤ０、ＳＣＩＤ１であってもよい）であってもよく、動的選択シグナリングにより決定されてもよい。他のパラメータの具体的な内容は従来技術を参照してもよい。
【００４９】
１つの態様では、動的シグナリングは、ポート情報及び層情報を有する第１の動的シグナリングを含んでもよい。なお、本実施例の第１の動的シグナリングはこれに限定されず、実際の状況に応じて適当に調整してもよい。この態様では、該第１の動的シグナリングは、２つのスクランブリング識別子から選択された識別子情報を示す情報をさらに含んでもよい。
【００５０】
表３は、この態様に対応する第１の動的シグナリングの詳細を示している。表３に示すように、ＳＣＩＤの値は２つの方式を用いてもよく、第１の方式として、集合｛０、１、２、３｝から選択し、第２の方式として、集合｛０、１、ＵＥ−ＩＤ｝から選択する。値０、１を保留するのは、Ｒ１０のユーザとのＭＵ−ＭＩＭＯ伝送の適合性を確保するためである。値｛２、３｝を追加するのは、ｒａｎｋが８であることを確保するためである。より多くのユーザの非直交ＭＵ−ＭＩＭＯをサポートするため、スクランブリングシーケンスの初期値はＵＥ−ＩＤを選択してもよい。
【表３】
2016506210.tif 000006
【００５１】
もう１つの態様では、２つのスクランブリング識別子のうち１つの値は０又は１であり、もう１つの値はユーザ装置の識別子であってもよい。特に、ＳＣＩＤ０＝０、ＳＣＩＤ１＝ＵＥ−ＩＤと定義すると、上位層シグナリングを省略できる。
【００５２】
これによって、基地局がユーザ装置にポート情報、層情報及びスクランブリング識別子情報を含む動的シグナリングを送信することで、ユーザ装置が動的シグナリングに基づいて、受信された信号を復調できる。ここで、スクランブリング識別子情報の値は、０であってもよいし、ＵＥ−ＩＤであってもよい。しかし、Ｒ１０／Ｒ１１のユーザとの間に行われた直交ＭＵ−ＭＩＭＯはある程度限定され、即ちＳＣＩＤ０＝１のＲ１０／Ｒ１１のユーザと直交ＭＵ−ＭＩＭＯを行うことができない。
【００５３】
本実施例では、基地局は、ユーザ装置及び他のユーザ装置の位置に基づいて、ユーザ装置及び他のユーザ装置のために、少なくとも１つの同一のスクランブリング識別子を含む候補情報を構成してもよい。即ち、システムは、上位層シグナリングを用いて初期値を構成する場合、ユーザ装置の位置に基づいて選択してもよい。隣接ビームによりカバーされる領域のユーザは同一の初期値を選択することで、２つのビームの境界のユーザが直交ＭＵ−ＭＩＭＯを行うことを確保できるため、システム性能を向上できる。
【００５４】
図４は、本発明の実施例に係る上位層がスクランブリング識別子を構成することを示す図である。図４に示すように、基地局は上位層シグナリングによりユーザ装置ＵＥ２をＳＣＩＤ＝｛０、１｝と構成し、ユーザ装置ＵＥ４をＳＣＩＤ＝｛０、２｝と構成してもよい。また、ＰＤＣＣＨによりキャリーされる動的シグナリングを用いて、隣接するＵＥ２、ＵＥ４を同様なＳＣＩＤ＝０を構成してもよい。これによって、ＵＥ２とＵＥ４は直交のＭＵ−ＭＩＭＯ伝送を行うことができる。
【００５５】
もう１つの態様では、動的シグナリングは、ポート情報及び層情報を有する第１の動的シグナリングを含んでもよい。該方法は、基地局がユーザ装置に第２の動的シグナリングを送信するステップをさらに含み、該第２の動的シグナリングは、上位層により構成されたスクランブリングシーケンスを示す。具体的には、動的シグナリングに１ビットを追加して、上位層により構成されたスクランブリングシーケンスを示してもよい。
【００５６】
この態様では、ＭＵ−ＭＩＭＯのランクの制限をさらに緩和するため、高いｒａｎｋのユーザ（ｒａｎｋ３−７）と低いｒａｎｋのユーザとは非直交のＭＵ−ＭＩＭＯを行ってもよい。動的シグナリングは、１ビットを追加して、上位層により構成されたスクランブリングシーケンスを示してもよい。
【００５７】
表４はこの対応に対応する第１のシグナリングの詳細を示している。表４に示すように、対応するアンテナポート及び層数を設定して動的シグナリング設計を示してもよい。
【表４】
2016506210.tif 000007
【００５８】
もう１つの態様では、該方法は、基地局が、ユーザ装置に、復調参照信号の負荷を示す第３の動的シグナリングを送信するステップをさらに含んでもよく、該第３の動的シグナリングは復調参照信号の負荷を示す。例えば、動的シグナリングに１ビットを追加して、復調参照信号の負荷が１２ＲＥ又は２４ＲＥであることを示してもよい。
【００５９】
もう１つの態様では、該方法において、該合計ランク情報は、復調参照信号の負荷を示してもよい。これによって、ＤＭＲＳの負荷を示す他のシグナリング（例えば１ビットのシグナリング）が必要ではない。
【００６０】
具体的には、システムが非トランスペアレントなＭＵ−ＭＩＭＯをサポートする場合、合計ｒａｎｋ情報を用いてＭＵ−ＭＩＭＯ伝送の合計ｒａｎｋ、及びＤＭ−ＲＳの負荷を示してもよい。具体的には、合計ｒａｎｋ情報は３ビットのシグナリングを用いて示されてもよい。合計ｒａｎｋ情報の具体的な詳細について、従来技術を参照してもよい。
【００６１】
本実施例では、ユーザ装置と他のユーザ装置とが最大の合計ランクが４である直交のＭＵ−ＭＩＭＯを行うように指示し、或いはランクが２よりも大きいユーザ装置と他のユーザ装置とが非直交のＭＵ−ＭＩＭＯを行うように指示してもよい。
【００６２】
１つの態様では、第１の動的シグナリングは、ユーザ装置のポートが７、８であり、２つのコードワードが用いられ、層の数が２つであり、他のユーザ装置のポートが９であり、１つのコードワードが用いられ、層の数が１であること、又はユーザ装置のポートが７、８、９であり、２つのコードワードが用いられ、層の数が３つであり、他のユーザ装置のポートが１０であり、１つのコードワードが用いられ、層の数が１であること、又はユーザ装置のポートが７、８であり、２つのコードワードが用いられ、層の数が２つであり、他のユーザ装置のポートが９、１０であり、２つのコードワードが用いられ、層の数が２であること、を示してもよい。
【００６３】
もう１つの態様では、第１の動的シグナリングは、ユーザ装置のポートが７であり、１つのコードワードが用いられ、層の数が１つであり、他のユーザ装置のポートが８、９であり、１つのコードワードが用いられ、層の数が２であること、又はユーザ装置のポートが７であり、１つのコードワードが用いられ、層の数が１つであり、他のユーザ装置のポートが８、９、１０であり、１つのコードワードが用いられ、層の数が３であること、又はユーザ装置のポートが７、８であり、１つのコードワードが用いられ、層の数が２つであり、他のユーザ装置のポートが９、１０であり、１つのコードワードが用いられ、層の数が２であること、を示してもよい。
【００６４】
上記のシグナリング設計について、具体的な内容は実施例２の内容、例えば実施例２の表５、表６の内容、及び図７及び図８の内容を参照してもよい。
【００６５】
具体的に実施する際に、動的シグナリングは、スクランブリング識別子を示す第２の動的シグナリングをさらに含んでもよく、該スクランブリング識別子は上記のものである。即ち、基地局は上位層シグナリングによりスクランブリング識別子の候補情報を構成し、該第２の動的シグナリングにより示す。
【００６６】
具体的に実施する際に、動的シグナリングは、合計ランク（sum  rank）情報を示す第４の動的シグナリングをさらに含んでもよい。合計ランク情報は合計ｒａｎｋ情報を伝送してもよく、従来技術を参照してもよい。また、合計ランク情報は、復調参照信号の負荷を示してもよい。
【００６７】
上記の実施例によれば、基地局がユーザ装置のためにスクランブリング識別子の候補情報を構成し、該ユーザ装置が動的シグナリングに基づいて受信信号を復調することで、ＭＵ−ＭＩＭＯのより大きな次元の数をサポートでき、大規模なアンテナの利点を十分に取得できる。
【００６８】
＜実施例２＞
本発明の実施例はマルチユーザマルチ入力マルチ出力（ＭＵ−ＭＩＭＯ）システムの基地局側に用いられる復調参照信号のシグナリング指示方法を提供し、該方法は非トランスペアレントなＭＵ−ＭＩＭＯをサポートできる。
【００６９】
図５は本発明の実施例に係るシグナリング指示方法のフローチャートである。図５に示すように、該方法は下記のステップを含む。
【００７０】
ステップ５０１：基地局は、ユーザ装置に復調参照信号用の動的シグナリングを送信し、ユーザ装置が他のユーザ装置と最大の合計ランクが４である直交のＭＵ−ＭＩＭＯを行うように指示し、或いはランクが２よりも大きいユーザ装置が他のユーザ装置と非直交のＭＵ−ＭＩＭＯを行うように指示する。
【００７１】
本実施例では、シグナリング指示によりサポートされる各ユーザ装置のランクは４以下であってもよい。以下は、この場合のシグナリング指示を詳細に説明する。
【００７２】
具体的には、システム性能をさらに向上するため、直交ＭＵ−ＭＩＭＯの次元はさらに拡張されてもよい。例えば、各ユーザが最大でｒａｎｋ４のＭＵ−ＭＩＭＯ伝送をサポートしてもよく、その拡張は、直交ＭＵ−ＭＩＭＯのコードワードから層へのマッピング及び動的シグナリングの強化で表れてもよい。
【００７３】
１つの態様では、動的シグナリングは、第１の動的シグナリングを含み、第１の動的シグナリングは、ユーザ装置のポートが７、８であり、２つのコードワードが用いられ、層の数が２つであり、他のユーザ装置のポートが９であり、１つのコードワードが用いられ、層の数が１であること、又はユーザ装置のポートが７、８、９であり、２つのコードワードが用いられ、層の数が３つであり、他のユーザ装置のポートが１０であり、１つのコードワードが用いられ、層の数が１であること、又はユーザ装置のポートが７、８であり、２つのコードワードが用いられ、層の数が２つであり、他のユーザ装置のポートが９、１０であり、２つのコードワードが用いられ、層の数が２であること、を示してもよい。
【００７４】
図６は従来のコードワードから層へのマッピングを示す図である。図６に示すように、従来の直交ＭＵ−ＭＩＭＯはシングルユーザのシングルストリームのみをサポートする。
【００７５】
図７は本発明の実施例に係るコードワードから層へのマッピングを示す図である。図７に示すように、本発明の実施例はシングルユーザのマルチストリームをサポートしてもよい。図７におけるユーザはシングルユーザのコードワードから層へのマッピング方法を利用してもよく、ユーザ装置が２つを超えたストリームを用いる場合、２つのｃｏｄｅｗｏｒｄを用い、２つのＣＱＩをフィードバックしてもよい。
【００７６】
表５は、この態様のデュアル・コードワードのマッピング関係に対応するシグナリング設計を示すものである。表５に示すように、ｃｏｄｅｗｏｒｄ０が有効（ｅｎａｂｌｅｄ）であり、且つｃｏｄｅｗｏｒｄ１が無効（ｄｉｓａｂｌｅｄ）である場合、１つの層及びポート９、又は１つの層及びポート１０を用いてもよく、ｃｏｄｅｗｏｒｄ０が有効（ｅｎａｂｌｅｄ）であり、且つｃｏｄｅｗｏｒｄ１が有効（ｅｎａｂｌｅｄ）である場合、２つの層及びポート９−１０を用いてもよい。
【表５】
2016506210.tif 000008
【００７７】
もう１つの態様では、動的シグナリングは、第１の動的シグナリングを含み、第１の動的シグナリングは、ユーザ装置のポートが７であり、１つのコードワードが用いられ、層の数が１つであり、他のユーザ装置のポートが８、９であり、１つのコードワードが用いられ、層の数が２であること、又はユーザ装置のポートが７であり、１つのコードワードが用いられ、層の数が１つであり、他のユーザ装置のポートが８、９、１０であり、１つのコードワードが用いられ、層の数が３であること、又はユーザ装置のポートが７、８であり、１つのコードワードが用いられ、層の数が２つであり、他のユーザ装置のポートが９、１０であり、１つのコードワードが用いられ、層の数が２であること、を示してもよい。
【００７８】
図８は本発明の実施例に係るコードワードから層への他のマッピングを示す図である。図８に示すように、本発明の実施例はシングルユーザのマルチストリームをサポートしてもよい。図８における各ユーザは１つのｃｏｄｅｗｏｒｄを用い、各ユーザ装置は１つのみのＣＱＩをフィードバックしてもよい。
【００７９】
表６は、この態様のシングル・コードワードのマッピング関係に対応するシグナリング設計を示すものである。表６に示すように、ｃｏｄｅｗｏｒｄ０が有効（ｅｎａｂｌｅｄ）であり、且つｃｏｄｅｗｏｒｄ１が無効（ｄｉｓａｂｌｅｄ）である場合、２つの層及びポート８−９、２つの層及びポート９−１０、又は３つの層及びポート８−１０を用いてもよい。
【表６】
2016506210.tif 000009
【００８０】
なお、図７及び図８は、直交ＭＵ−ＭＩＭＯの場合のみを示し、本発明を例示的に説明しているが、本発明はこれに限定されず、非直交のＭＵ−ＭＩＭＯを行ってもよい。実際の状況に応じて具体的な態様を決定してもよい。
【００８１】
もう１つの態様では、動的シグナリングは、スクランブリング識別子を示す第２の動的シグナリングをさらに含んでもよい。示されるスクランブリング識別子は、実施例１に述べたように、基地局が上位層シグナリングによりスクランブリング識別子の候補情報を構成し、該第２の動的シグナリングにより示されてもよい。なお、本発明はこれに限定されず、実際の状況に応じて具体的な態様を決定してもよい。
【００８２】
もう１つの態様では、基地局はユーザ装置に動的シグナリングを送信し、該動的シグナリングは復調参照信号の負荷を示してもよい。具体的には、動的シグナリングに１ビットを追加して、復調参照信号の負荷が１２ＲＥ又は２４ＲＥであることを示してもよい。
【００８３】
もう１つの態様では、動的シグナリングは、合計ランク（sum  rank）情報を示す第４の動的シグナリングをさらに含んでもよい。具体的に実施する際に、合計ランク情報は、復調参照信号の負荷を示してもよい。
【００８４】
上記の実施例によれば、基地局がユーザ装置にシグナリング指示を送信し、ユーザ装置がシグナリング指示に基づいて直交又は非直交のＭＵ−ＭＩＭＯを行うことで、ＭＵ−ＭＩＭＯのより大きな次元の数をサポートでき、大規模なアンテナの利点を十分に取得できる。
【００８５】
＜実施例３＞
本発明の実施例はマルチユーザマルチ入力マルチ出力（ＭＵ−ＭＩＭＯ）システムのユーザ装置側に用いられる復調参照信号のシグナリング指示方法を提供し、実施例１と同様な内容についてその説明が省略される。
【００８６】
図９は本発明の実施例に係るシグナリング指示方法のフローチャートである。図９に示すように、該方法は下記のステップを含む。
【００８７】
ステップ９０１：ユーザ装置は、基地局により構成されたスクランブリング識別子の候補情報を受信する。
【００８８】
ステップ９０２：ユーザ装置は、基地局により送信された動的シグナリングを受信し、動的シグナリングに基づいて、受信された信号に対してチャネル推定及び復調を行う。
【００８９】
１つの態様では、ユーザ装置は、基地局により送信された、ポート情報、層情報及びスクランブリング識別子情報を含む動的シグナリングを受信し、ユーザ装置は、動的シグナリングに基づいて、受信された信号を復調する。ここで、スクランブリング識別子の値は、０又はＵＥ−ＩＤであってもよい。この態様では、基地局は、上位層シグナリングにより候補情報を構成する必要なく、即ちステップ９０１を省略してもよい。
【００９０】
１つの態様では、動的シグナリングは、ポート情報及び層情報を有する第１の動的シグナリングを含み、該第１の動的シグナリングは、２つのスクランブリング識別子から選択された識別子情報を示す情報をさらに含んでもよい。
【００９１】
もう１つの態様では、動的シグナリングは、ポート情報及び層情報を有する第１の動的シグナリングを含み、該方法は、ユーザ装置が基地局により送信された第２の動的シグナリングを受信するステップをさらに含み、該動的シグナリングは、上位層により構成されたスクランブリングシーケンスを示してもよい。例えば、動的シグナリングに１ビットを追加して、上位層により構成されたスクランブリングシーケンスを示してもよい。
【００９２】
もう１つの態様では、該方法は、ユーザ装置が、基地局により送信された、復調参照信号の負荷を示す第３の動的シグナリングを受信するステップをさらに含んでもよい。動的シグナリングに１ビットを追加して、復調参照信号の負荷が１２ＲＥ又は２４ＲＥであることを示してもよい。
【００９３】
本実施例では、シグナリングを用いて、ユーザ装置と他のユーザ装置とが最大の合計ランクが４である直交のＭＵ−ＭＩＭＯを行うように指示し、或いはランクが２よりも大きいユーザ装置と他のユーザ装置とが非直交のＭＵ−ＭＩＭＯを行うように指示してもよい。
【００９４】
１つの態様では、第１の動的シグナリングは、ユーザ装置のポートが７、８であり、２つのコードワードが用いられ、層の数が２つであり、他のユーザ装置のポートが９であり、１つのコードワードが用いられ、層の数が１であること、又はユーザ装置のポートが７、８、９であり、２つのコードワードが用いられ、層の数が３つであり、他のユーザ装置のポートが１０であり、１つのコードワードが用いられ、層の数が１であること、又はユーザ装置のポートが７、８であり、２つのコードワードが用いられ、層の数が２つであり、他のユーザ装置のポートが９、１０であり、２つのコードワードが用いられ、層の数が２であること、を示してもよい。
【００９５】
もう１つの態様では、第１の動的シグナリングは、ユーザ装置のポートが７であり、１つのコードワードが用いられ、層の数が１つであり、他のユーザ装置のポートが８、９であり、１つのコードワードが用いられ、層の数が２であること、又はユーザ装置のポートが７であり、１つのコードワードが用いられ、層の数が１つであり、他のユーザ装置のポートが８、９、１０であり、１つのコードワードが用いられ、層の数が３であること、又はユーザ装置のポートが７、８であり、１つのコードワードが用いられ、層の数が２つであり、他のユーザ装置のポートが９、１０であり、１つのコードワードが用いられ、層の数が２であること、を示してもよい。
【００９６】
上記のシグナリング設計についての具体的な内容は、実施例２の内容、例えば実施例２における表５、表６の内容、及び図７、図８の内容を参照してもよい。本発明はこれに限定されない。
【００９７】
具体的に実施する際に、動的シグナリングは、スクランブリング識別子を示す第２の動的シグナリングをさらに含んでもよく、該スクランブリング識別子は上記のものである。基地局が上位層シグナリングによりスクランブリング識別子の候補情報を構成し、該第２の動的シグナリングにより示してもよい。
【００９８】
具体的に実施する際に、動的シグナリングは、合計ランク（sum  rank）情報を示す第４の動的シグナリングをさらに含んでもよい。合計ランク情報は合計ｒａｎｋ情報を伝送してもよく、従来技術を参照してもよい。また、合計ランク情報は、復調参照信号の負荷を示してもよい。
【００９９】
上記の実施例によれば、基地局がユーザ装置のためにスクランブリング識別子の候補情報を構成し、ユーザ装置が動的シグナリングに基づいてスクランブリング識別子を決定することで、ＭＵ−ＭＩＭＯのより大きな次元の数をサポートでき、大規模なアンテナの利点を十分に取得できる。
【０１００】
＜実施例４＞
本発明の実施例は、マルチユーザマルチ入力マルチ出力（ＭＵ−ＭＩＭＯ）システムのユーザ装置側に用いられる復調参照信号のシグナリング指示方法を提供し、実施例２と同様な内容についてその説明が省略される。
【０１０１】
図１０は本発明の実施例に係るシグナリング指示方法のフローチャートである。図１０に示すように、該方法は下記のステップを含む。
【０１０２】
ステップ１００１：ユーザ装置は、基地局により送信された、復調参照信号用の動的シグナリングを受信する。
【０１０３】
ステップ１００２：ユーザ装置は、他のユーザ装置と最大の合計ランクが４である直交のＭＵ−ＭＩＭＯを行い、或いはユーザ装置が他のユーザ装置と非直交のＭＵ−ＭＩＭＯを行う。
【０１０４】
１つの態様では、動的シグナリングは、第１の動的シグナリングを含み、第１の動的シグナリングは、ユーザ装置のポートが７、８であり、２つのコードワードが用いられ、層の数が２つであり、他のユーザ装置のポートが９であり、１つのコードワードが用いられ、層の数が１であること、又はユーザ装置のポートが７、８、９であり、２つのコードワードが用いられ、層の数が３つであり、他のユーザ装置のポートが１０であり、１つのコードワードが用いられ、層の数が１であること、又はユーザ装置のポートが７、８であり、２つのコードワードが用いられ、層の数が２つであり、他のユーザ装置のポートが９、１０であり、２つのコードワードが用いられ、層の数が２であること、を示してもよい。
【０１０５】
もう１つの態様では、動的シグナリングは、第１の動的シグナリングを含み、第１の動的シグナリングは、ユーザ装置のポートが７であり、１つのコードワードが用いられ、層の数が１つであり、他のユーザ装置のポートが８、９であり、１つのコードワードが用いられ、層の数が２であること、又はユーザ装置のポートが７であり、１つのコードワードが用いられ、層の数が１つであり、他のユーザ装置のポートが８、９、１０であり、１つのコードワードが用いられ、層の数が３であること、又はユーザ装置のポートが７、８であり、１つのコードワードが用いられ、層の数が２つであり、他のユーザ装置のポートが９、１０であり、１つのコードワードが用いられ、層の数が２であること、を示してもよい。
【０１０６】
具体的に実施する際に、動的シグナリングは、スクランブリング識別子を示す第２の動的シグナリングをさらに含んでもよい。示されるスクランブリング識別子は実施例１に述べたように、基地局が上位層シグナリングによりスクランブリング識別子の候補情報を構成し、第２の動的シグナリングにより示されてもよい。なお、本発明はこれに限定されず、実際の状況に応じて具体的な態様を決定してもよい。
【０１０７】
また、動的シグナリングは、合計ランク（sum  rank）情報を示す第４の動的シグナリングをさらに含んでもよい。具体的に実施する際に、合計ランク情報は、復調参照信号の負荷を示してもよい。
【０１０８】
もう１つの態様では、該方法は、ユーザ装置が、基地局により送信された、復調参照信号の負荷を示す第３の動的シグナリングを受信するステップをさらに含んでもよい。例えば、第３の動的シグナリングに１ビットを追加して、復調参照信号の負荷が１２ＲＥ又は２４ＲＥであることを示してもよい。
【０１０９】
上記の実施例によれば、基地局がユーザ装置にシグナリング指示を送信し、ユーザ装置がシグナリング指示に基づいて直交又は非直交のＭＵ−ＭＩＭＯを行うことで、ＭＵ−ＭＩＭＯのより大きな次元の数をサポートでき、大規模なアンテナの利点を十分に取得できる。
【０１１０】
＜実施例５＞
本発明の実施例は、マルチユーザマルチ入力マルチ出力（ＭＵ−ＭＩＭＯ）システムに用いられる基地局を提供する。本実施例は実施例１に記載の方法に対応し、同様な内容についてその説明が省略される。
【０１１１】
図１１は、本発明の実施例に係る基地局の構成を示す図である。図１１に示すように、基地局１１００は、構成部１１０１及びシグナリング送信部１１０２を含み、基地局１１００の他の部分は従来技術を参照してもよい。
【０１１２】
構成部１１０１は、上位層シグナリングにより、ユーザ装置のためにスクランブリング識別子の候補情報を構成する。シグナリング送信部１１０２は、ユーザ装置が動的シグナリングに基づいて、受信された信号に対してチャネル推定及び復調を行うように、ユーザ装置に動的シグナリングを送信する。
【０１１３】
具体的に実施する際に、候補情報は２つのスクランブリング識別子であってもよいが、本発明はこれに限定されない。基地局は、集合｛０、１、２、３｝又は集合｛０、１、ユーザ装置の識別子｝から２つの値を２つのスクランブリング識別子として選択する選択部をさらに含んでもよい。
【０１１４】
１つの態様では、動的シグナリングは、ポート情報及び層情報を有する第１の動的シグナリングを含み、第１の動的シグナリングは、２つのスクランブリング識別子から選択された識別子情報を示す情報をさらに含んでもよい。表３に示された内容を参照してもよい。
【０１１５】
もう１つの態様では、動的シグナリングは、ポート情報及び層情報を有する第１の動的シグナリングを含んでもよく、表４に示された内容を参照してもよい。シグナリング送信部１１０２は、ユーザ装置に第２の動的シグナリングを送信するステップをさらに含み、第２の動的シグナリングは、２つのスクランブリング識別子から選択された識別子情報を示す情報を含んでもよい。
【０１１６】
１つの態様では、シグナリング送信部１１０２は、ユーザ装置に、復調参照信号の負荷を示す第３の動的シグナリングを送信してもよい。
【０１１７】
上記の実施例によれば、基地局がユーザ装置のためにスクランブリング識別子の候補情報を構成し、ユーザ装置が動的シグナリングに基づいてスクランブリング識別子を決定することで、ＭＵ−ＭＩＭＯのより大きな次元の数をサポートでき、大規模なアンテナの利点を十分に取得できる。
【０１１８】
＜実施例６＞
本発明の実施例は、マルチユーザマルチ入力マルチ出力（ＭＵ−ＭＩＭＯ）システムに用いられる基地局を提供する。本実施例は実施例２に記載の方法に対応し、同様な内容についてその説明が省略される。
【０１１９】
図１２は本発明の実施例に係る基地局の構成を示す図である。図１２に示すように、基地局１２００は、シグナリング送信部１２０１を含み、基地局１２００の他の部分は従来技術を参照してもよい。
【０１２０】
シグナリング送信部１２０１は、ユーザ装置に復調参照信号用の動的シグナリングを送信し、ユーザ装置が他のユーザ装置と最大の合計ランクが４である直交のＭＵ−ＭＩＭＯを行うように指示し、或いはランクが２よりも大きいユーザ装置が他のユーザ装置と非直交のＭＵ−ＭＩＭＯを行うように指示する。
【０１２１】
１つの態様では、動的シグナリングは、第１の動的シグナリングを含み、第１の動的シグナリングは、ユーザ装置のポートが７、８であり、２つのコードワードが用いられ、層の数が２つであり、他のユーザ装置のポートが９であり、１つのコードワードが用いられ、層の数が１であること、又はユーザ装置のポートが７、８、９であり、２つのコードワードが用いられ、層の数が３つであり、他のユーザ装置のポートが１０であり、１つのコードワードが用いられ、層の数が１であること、又はユーザ装置のポートが７、８であり、２つのコードワードが用いられ、層の数が２つであり、他のユーザ装置のポートが９、１０であり、２つのコードワードが用いられ、層の数が２であること、を示してもよい。
【０１２２】
もう１つの態様では、動的シグナリングは、第１の動的シグナリングを含み、第１の動的シグナリングは、ユーザ装置のポートが７であり、１つのコードワードが用いられ、層の数が１つであり、他のユーザ装置のポートが８、９であり、１つのコードワードが用いられ、層の数が２であること、又はユーザ装置のポートが７であり、１つのコードワードが用いられ、層の数が１つであり、他のユーザ装置のポートが８、９、１０であり、１つのコードワードが用いられ、層の数が３であること、又はユーザ装置のポートが７、８であり、１つのコードワードが用いられ、層の数が２つであり、他のユーザ装置のポートが９、１０であり、１つのコードワードが用いられ、層の数が２であること、を示してもよい。
【０１２３】
具体的に実施する際に、動的シグナリングは、スクランブリング識別子を示す第２の動的シグナリングをさらに含んでもよい。また、動的シグナリングは、合計ランク（sum  rank）情報を示す第４の動的シグナリングをさらに含んでもよい。
【０１２４】
上記の実施例によれば、基地局がユーザ装置にシグナリング指示を送信し、ユーザ装置がシグナリング指示に基づいて直交又は非直交のＭＵ−ＭＩＭＯを行うことで、ＭＵ−ＭＩＭＯのより大きな次元の数をサポートでき、大規模なアンテナの利点を十分に取得できる。
【０１２５】
＜実施例７＞
本発明の実施例は、マルチユーザマルチ入力マルチ出力（ＭＵ−ＭＩＭＯ）システムに用いられるユーザ装置を提供する。本実施例は、実施例３に記載の方法に対応し、同様な内容はその説明が省略される。
【０１２６】
図１３は、本発明の実施例に係るユーザ装置の構成を示す図である。図１３に示すように、ユーザ装置１３００は、情報受信部１３０１及びシグナリング受信部１３０２を含み、ユーザ装置１３００の他の部分は従来技術を参照してもよい。
【０１２７】
情報受信部１３０１は、基地局により構成されたスクランブリング識別子の候補情報を受信する。シグナリング受信部１３０２は、基地局により送信された動的シグナリングを受信し、動的シグナリングに基づいて、受信された信号に対してチャネル推定及び復調を行う。
【０１２８】
１つの態様では、動的シグナリングは、ポート情報及び層情報を有する第１の動的シグナリングを含み、第１の動的シグナリングは、２つのスクランブリング識別子から選択された識別子情報を示す情報をさらに含んでもよい。
【０１２９】
もう１つの態様では、動的シグナリングは、ポート情報及び層情報を有する第１の動的シグナリングを含み、シグナリング受信部１３０２は、基地局により送信された第２の動的シグナリングを受信し、第２の動的シグナリングは、２つのスクランブリング識別子から選択された識別子情報を示す情報を含んでもよい。
【０１３０】
もう１つの態様では、シグナリング受信部１３０２は、基地局により送信された、復調参照信号の負荷を示す第３の動的シグナリングを受信してもよい。
【０１３１】
上記の実施例によれば、基地局がユーザ装置のためにスクランブリング識別子の候補情報を構成し、該ユーザ装置が動的シグナリングに基づいてスクランブリング識別子を決定することで、ＭＵ−ＭＩＭＯのより大きな次元の数をサポートでき、大規模なアンテナの利点を十分に取得できる。
【０１３２】
＜実施例８＞
本発明の実施例は、マルチユーザマルチ入力マルチ出力（ＭＵ−ＭＩＭＯ）システムに用いられるユーザ装置を提供する。本実施例は、実施例４に記載の方法に対応し、同様な内容はその説明が省略される。
【０１３３】
図１４は本発明の実施例に係るユーザ装置の構成を示す図である。図１４に示すように、ユーザ装置１４００は、シグナリング受信部１４０１及び処理部１４０２を含み、ユーザ装置１４００の他の部分は従来技術を参照してもよい。
【０１３４】
シグナリング受信部１４０１は、基地局により送信された、復調参照信号用の動的シグナリングを受信する。処理部１４０２は、他のユーザ装置と最大の合計ランクが４である直交のＭＵ−ＭＩＭＯを行い、或いは他のユーザ装置と非直交のＭＵ−ＭＩＭＯを行う。
【０１３５】
１つの態様では、動的シグナリングは、第１の動的シグナリングを含み、第１の動的シグナリングは、ユーザ装置のポートが７、８であり、２つのコードワードが用いられ、層の数が２つであり、他のユーザ装置のポートが９であり、１つのコードワードが用いられ、層の数が１であること、又はユーザ装置のポートが７、８、９であり、２つのコードワードが用いられ、層の数が３つであり、他のユーザ装置のポートが１０であり、１つのコードワードが用いられ、層の数が１であること、又はユーザ装置のポートが７、８であり、２つのコードワードが用いられ、層の数が２つであり、他のユーザ装置のポートが９、１０であり、２つのコードワードが用いられ、層の数が２であること、を示してもよい。
【０１３６】
もう１つの態様では、動的シグナリングは、第１の動的シグナリングを含み、第１の動的シグナリングは、ユーザ装置のポートが７であり、１つのコードワードが用いられ、層の数が１つであり、他のユーザ装置のポートが８、９であり、１つのコードワードが用いられ、層の数が２であること、又はユーザ装置のポートが７であり、１つのコードワードが用いられ、層の数が１つであり、他のユーザ装置のポートが８、９、１０であり、１つのコードワードが用いられ、層の数が３であること、又はユーザ装置のポートが７、８であり、１つのコードワードが用いられ、層の数が２つであり、他のユーザ装置のポートが９、１０であり、１つのコードワードが用いられ、層の数が２であること、を示してもよい。
【０１３７】
上記の実施例によれば、基地局がユーザ装置にシグナリング指示を送信し、ユーザ装置がシグナリング指示に基づいて直交又は非直交のＭＵ−ＭＩＭＯを行うことで、ＭＵ−ＭＩＭＯのより大きな次元の数をサポートでき、大規模なアンテナの利点を十分に取得できる。
【０１３８】
＜実施例９＞
本発明の実施例は、実施例５に記載の基地局及び実施例７に記載のユーザ装置を含み、或いは実施例６に記載の基地局及び実施例８に記載のユーザ装置を含む通信システムを提供する。
【０１３９】
図１５は本発明の実施例に係る通信システムの構成を示す図である。図１５に示すように、通信システム１５００は、基地局１５０１及びユーザ装置１５０２を含む。そのうち、基地局は実施例５又は６に記載されているものであってもよく、ユーザ装置は実施例７又は８に記載されているものであってもよい。
【０１４０】
通信システム１５００の他の内容は実施例１乃至８を参照してもよい。なお、図１５は単なる該通信システムの構成を例示するものであり、本発明はこれに限定されず、実際の状況に応じて具体的な態様を決定してもよい。
【０１４１】
本発明の実施例は、基地局においてプログラムを実行する際に、コンピュータに、上記の実施例１又は２に記載の復調参照信号のシグナリング指示方法を前記基地局において実行させる、コンピュータ読み取り可能なプログラムをさらに提供する。
【０１４２】
本発明の実施例は、コンピュータに、上記の実施例１又は２に記載の復調参照信号のシグナリング指示方法を基地局において実行させるためのコンピュータ読み取り可能なプログラムを記憶する、記憶媒体をさらに提供する。
【０１４３】
本発明の実施例は、ユーザ装置においてプログラムを実行する際に、コンピュータに、上記の実施例３又は４に記載の復調参照信号のシグナリング指示方法を前記ユーザ装置において実行させる、コンピュータ読み取り可能なプログラムをさらに提供する。
【０１４４】
本発明の実施例は、コンピュータに、上記の実施例３又は４に記載の復調参照信号のシグナリング指示方法をユーザ装置において実行させるためのコンピュータ読み取り可能なプログラムを記憶する、記憶媒体をさらに提供する。
【０１４５】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１４６】
一つ以上の機能ブロックおよび/または添付の図面内の機能ブロックの一つ以上の組合せは、汎用プロセッサ、デジタル信号プロセッサ（DSP）、特定用途向け集積回路（ASIC）、フィールド・プログラマブル・ゲートとして実現されてもよいアレイ（FPGA）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、DSPとマイクロプロセッサの組み合わせとして、コンピューティング機器の組み合わせとして通信DSPと組み合わせて、または任意の他のそのような構成における1つまたは複数のマイクロプロセッサ、複数のプロセッサを実現することができる。
【０１４７】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016506210.tif 000010
【図２】
2016506210.tif 000011
【図３】
2016506210.tif 000012
【図４】
2016506210.tif 000013
【図５】
2016506210.tif 000014
【図６】
2016506210.tif 000015
【図７】
2016506210.tif 000016
【図８】
2016506210.tif 000017
【図９】
2016506210.tif 000018
【図１０】
2016506210.tif 000019
【図１１】
2016506210.tif 000020
【図１２】
2016506210.tif 000021
【図１３】
2016506210.tif 000022
【図１４】
2016506210.tif 000023
【図１５】
2016506210.tif 000024
【国際調査報告】
2016506210.tif 000025
2016506210.tif 000026
2016506210.tif 000027
2016506210.tif 000028
2016506210.tif 000029
2016506210.tif 000030